(57)【要約】      （修正有）【課題】未使用の時はクリアーケースやバインダーホルダーの表紙等としても利用可能な、切り入れた絵文字でで、そのクリアーケースの対照色を切り入れた絵文字の下に敷くことで多目的表示書類入れを提供する。【解決手段】白色のプラスチック製のクリアーケース等書類入れの片面又は両面に、例えば「帰宅」と切れ込みで文字を切り入れ、帰宅する際に電源の切れたパソコン画面の黒色画面にその切れ字が重なるように、クリアーケースを被せる。すると、パソコン画面に「帰宅」と黒色字で白色のクリアーケースに対照色として浮かび上がる表示として使用できる。これは、パソコン画面を電源を切り、帰宅する際、黒色の画面に、白いクリアーケースの両側又は片側に「帰宅」と、クリアーケースの書類を収納する機能を損なわない程度の、切れ込みで絵文字を切り入れ、画面に被せると「（私は）帰宅（していてここにはもうおりません）」という趣旨の表示になる。【選択図】図１
2015016681.tif 000002
【特許請求の範囲】
【請求項１】
未使用の時はクリアーケースやバインダーホルダーの表紙等としても利用可能な、長い２辺のうち少なくとも１辺、且つ短い２辺のうち少なくとも１辺が裏表山折りの結合した形状を持ち、パソコン画面上部や介護施設・病院の入院時のパイプベット等にフックなしで被せることが可能な形状で、書類入れの裏表両側又は片側に「帰宅」「会議中」「ランチ」「リハビリ」「診察」等と表示内容を、プラスチック製書類入れとして収納物がはみ出たり書類を保持する機能を損なわない程度の切れ込みの絵文字や絵柄等で表示し、その書類入れの対照色として、パソコンの電源を切った画面の黒色、待機状態で画面の黒色等又は対照色のもう１式の書類入れを中に挿入することで、切れ入れた絵文字や絵柄の下に表示させ、職場での離席先や介護施設・病院での入院患者のベットからの不在表示等行先等多目的な表示することが可能な表示。
【請求項２】
さらに、絵文字や図柄を切り入れた職場などでの「帰宅」「御手洗」「会議中」「ランチ」「出張」「休み」「急病」「下痢」「外出先」「歓送迎会」等多目的な表示をする請求項１の表示。
【請求項３】
さらに、切り入れた絵文字により、書類の挿入に引っかかるなどの支障が生じた、クリアーケース等としての機能の場合は、その中に透明なもう一式のクリアーケースを入れ、書類の保持機能を補うことも可能である請求項１の表示。
【請求項４】
さらに、書類入れの裏表両側又は片側に、「夫へ」「妻へ」「社長へ」「課長へ」「友人へ」等と絵文字で切れ込み入れたものを、その対照色の書類入れもう１式を中に挿入し、絵文字等を対照色にて表示し、「置手紙」のように、例えば帰宅する際パソコンの机等に置いて切り入れた絵文字等の人間宛の書類であることを示す表示として使用することも可能な請求項１の表示。
【請求項５】
さらに、絵柄と日本語、英語等の文字を併用した請求項１の表示。
【請求項６】
さらに、色別に用途を峻別可能な請求項１の表示。
【請求項７】
さらに、図では、図が意味するのを明らかにする為、敢えて大きめに表現したが、大小の寸法をも含む請求項１の表示。
【発明の詳細な説明】
【技術分野】
【０００１】  本発明は、未使用の時はクリアーケースやバインダーホルダーの表紙等としても利用可能な、長い２辺のうち少なくとも１辺、且つ短い２辺のうち少なくとも１辺が裏表山折りの結合した形状を持ち、パソコン画面上部や介護施設・病院の入院時のパイプベット等にフックなしで被せることが可能な形状で、書類入れの裏表両側又は片側に「帰宅」「会議中」「ランチ」「リハビリ」「診察」等と表示内容を、プラスチック製書類入れとして収納物がはみ出たり書類を保持する機能を損なわない程度の切れ込みの絵文字や絵柄等で表示し、その書類入れの対照色として、パソコンの電源を切った画面の黒色、待機状態で画面の黒色等を切れ入れた絵文字や絵柄の下に表示させることで、職場での離席先や介護施設・病院での入院患者のベットからの不在表示等行先等多目的な表示することが可能な表示に関するものである。
さらに、クリアーケースの裏表両側又は片側に、「帰宅」等と表示内容を、Ａ４等のプラスチック製書類入れとして収納物がはみ出たり書類を保持する機能を損なわない程度の切れ込みで、絵文字等を切り入れ、さらに、白色の書類入れの裏表両側又は片側に、「帰宅」等と絵文字で切れ込み入れたものを、その白色対照色の書類入れもう１式を中に挿入し、絵文字を対照色にて表示し、「置手紙」のように、例えば帰宅する際パソコンの机等に置いて「帰宅した」表示として使用することも可能な表示に関するものである。
【技術背景】
【０００２】  先に、私はクリップボード上の筆記用具落下防止器、屋外などでクリップボード上等で筆記用具を使用する仕事をしているとき、クリップボードが傾き、ボード上の自己の手で握る筆記用具以外の筆記用具がボード上を転げたり落下したりすることを防止する為、筆記用具を固定する、軽量な針金金属製の器具を出願した。
また、電気製品の電源プラグ、特に構造の古い築年数の経過した住宅における、大人の胸程度の高さのコンセントに差すべきプラグで、フローリング床の台所など所謂水周り近く等使用環境に場所的な制約のある所で使用する、電気製品不使用の際プラグを引っ掛けるゴム管付き針金によるフックを出願した。
この応用が、フック等で掛けるゴム管針金による、車両等の車内の筆記用具とメモ用紙又は駐車場券、伝票、ガソリン領収書、写真、写真入り額縁等をペアで固定する、多用途固定器具として有効ではないかと気がつき、さらにゴム管を履かせた針金で作るコイルにて固定する固定器具で、ダッシュボードの空調機排気口等にフックで掛ければ、認識性・すぐに取り出せる容易性、真夏の炎天下の自家用車内や真冬の厳冬下の自家用車内での耐久性、車内でブレーキ部分に万が一落下してもペダルの開閉操作に支障を与えない柔軟性、落下し足手踏み潰しても破損しない柔軟性と工作容易性に優れた、自家用車の排気量によるダッシュボードの大きさ・形状・デザインにも容易に適合可能な利点と合わせ、手軽で安価な固定器具、フック等で掛けるゴム管針金による、車両等の車内の筆記用具とメモ用紙又は駐車場券、伝票、領収書、写真、写真入り額縁等をペアで固定する、多目的フックを出願した。
耐水性があるから、冷房時の結露もフック部分に影響なく、またこのフックによる固定器具は、自家用車等車両内の駐車券や筆記用具、メモ用紙伝票、領収書等の固定のみならず、入院・介護施設等の患者や利用者等の臨床での服薬等記録書類のベッド等への固定器具としても応用可能である。ゴム管をすべてに覆わせたのは、自家用車等車両の走行中の振動による防音性やフック部の空調機排気口への傷をつけることの防止を兼ねている。当然、落下したときの耐衝撃性・防音性・安全性をも高めている。また、加工容易性があり、素手で手を傷めず伸縮折り曲げ調整も自在であり、且つ廉価である。固定する物が、写真、写真入り額縁であれば、フック部を前後逆に折り曲げ、筆記用具保持部を前後逆にすることで、見たい写真面を妨げられることなしに固定することが可能である。固定する物と場所に応じ、調整可能であるということだった。
これらの器具の応用として、筆記用具、付箋等とパソコンとを一緒に留め置く器具としてパソコンの画面の横に、筆記用具と付箋等フック等で吊るすフック等で掛けるゴム管針金による、パソコン画面の左右等に筆記用具と付箋等をペアで固定するフックを出願した。容易性に優れた、自家用車の排気量によるダッシュボードの大きさ・形状・デザインにも容易に適合可能な利点と合わせ、手軽で安でできる価固定器具、フック等で掛けるゴム管針金による、車両等の車内の筆記用具とメモ用紙又は駐車場券、伝票、領収書、写真、写真入り額縁等をペアで固定する、多目的フックを出願した。
耐水性があるから、冷房時の結露もフック部分に影響なく、またこのフックによる固定器具は、自家用車等車両内の駐車券や筆記用具、メモ用紙伝票、領収書等の固定のみならず、入院・介護施設等の患者や利用者等の臨床での服薬等記録書類のベッド等への固定器具としても応用可能である。ゴム管をすべてに覆わせたのは、自家用車等車両の走行中の振動による防音性やフック部の空調機排気口への傷をつけることの防止を兼ねている。当然、落下したときの耐衝撃性・防音性・安全性をも高めている。また、加工容易性があり、素手で手を傷めず伸縮折り曲げ調整も自在であり、且つ廉価である。固定する物が、写真、写真入り額縁であれば、フック部を前後逆に折り曲げ、筆記用具保持部を前後逆にすることで、見たい写真面を妨げられることなしに固定することが可能である。固定する物と場所に応じ、調整可能であるということだった。
これらの器具の応用として、筆記用具、付箋等とパソコンとを一緒に留め置く器具としてパソコンの画面の横に、筆記用具と付箋等フック等で吊るすフック等で掛けるゴム管針金による、パソコン画面の左右等に筆記用具と付箋等をペアで固定するフックを出願した。
【０００３】  さらに、これらの応用として、家庭や介護施設、入院施設等で配膳に利用されるトレー、また新幹線や在来線の特急電車の座席に折り畳み式に広げて使うトレー等平べったい形状のものに、ペットボトルや紙コップ等飲料を注ぎ入れ俺トレーに置く容器を、運搬・移動又は電車等の振動から倒れ内容物を溢すことを防ぐ固定器具であり、そのトレー等平べったい形状の物に、フォーク状の爪をもってして差し入れ固定する固定器具を出願した。
【０００４】  この、ゴム管を巻いた針金を、出願当初のクリップボード上の筆記用具落下防止器にも活かし、且つ筆記用具固定部分をこれも手型にし更に人間の手の指のように折り曲げたり拡げたりというゴム管を巻いた針金ならではの柔軟性を生かした曲げられる手を持つフックにすると、「グー」「チョキ」「パー」のように形を変えると、単純に筆記用具だけでなく、定規や付箋等更に固定でき、単に蜷局状、コイル状の筆記用具だけを固定可能な前出願案件よりも、クリップボード上の筆記用具等落下防止器具として、さらに活用性が高まるのではと考え出願した
フックは固定でなければならないのは、フックで吊る物が重量物である場合である。クリップボードにフックで引っかける物は、軽量物でなければならない。でなければ落下するからである。また固定する対象は、その都度クリップボードを使用し行う作業内容に左右される。筆記用具、付箋等多様な物である。よって、固定部をコイルから人間の手の形にし、且つその針金を巻いたゴム管が曲げられる柔軟性を生かし、所謂「グー」「チョキ」「パー」の形状に指を折り曲げ、固定したい物に合わせて曲げて使うことが可能な、形状可変のフックであれば、単にとぐろ状、コイル状の筆記用具固定部分のフックよりも利用度が高くなるのではないかと考えた。フックは固定でなければならない固定観念を捨て、フックも形状が変えられても良い発想に気が付いた。
作業前に、フックをその作業に必要としている物を固定するのに合う形状に曲げられることが煩わしければ、手の形状の指のところに、筆記用具を刺して固定することも可能であり、且つ差し手固定する筆記用具等の本数も、手の形の指が１０本あるので、連装のコイル状の筆記用具固定器具よりも多く固定が可能である。
更に、フックによる固定したい物が多様である場所とは、クリップボードだけではなく、前述自家用車等の車内も同様で、コイル状・蜷局状の筆記用具等固定部分を、人間の手形にし指を伸ばしたり折り曲げたりし、日本人なら誰でも思い浮かべることが容易な形「グー」「チョキ」「パー」にすると、引っかけて固定したい物は、筆記用具は言うに及ばず、たばこや運転に欠かせないサングラス等新たな活用性を見出すことに気が付いた。また、試作してみると、前述フック等で掛けるゴム管針金による、車両等の車内の筆記用具とメモ用紙又は駐車場券、伝票、ガソリン領収書、写真、写真入り額縁等をペアで固定する、多用途固定器具の形状よりも、人間の手形の形による指を伸ばしたり折り曲げたりする固定の方が、振動の絶えない自家用車等の車内にて耐振動性が良好である。さらに、単純に何も固定しなければ「グー」「チョキ」「パー」の固定器具が装飾器具にもなり得一石二鳥でもある。「グー」「チョキ」「パー」の形の固定器具なら、通常日本人なら健常者なら思い浮かべるのが容易ななじみの深い手・指の形である。その形をしたフック、固定器具で自家用車用となれば、自分に必要なフック・固定器具がどれかは選択するのも容易なはずである。というのは、自家用車内で使用する物は個人個人で多様であり、ある程度使い分け可能で、伸ばし折り曲げし調整可能で且つ、それが煩わしければ予め「グー」「チョキ」「パー」の形をしたフック・固定器具を選択可能とすれば、より個人のニーズに応じたフック、固定器具が出来上がるはずである。グー」「チョキ」「パー」の固定器具とは、「掴み」「挟み」「手に取る」仕草で物を固定することができる固定器具である。弾力のある針金をゴム管で巻き指で固定するから、人間の本物の指のように、折り曲げ伸ばし微調整が可能である。耐水性、耐防振性、静粛性、エアコン排気口に傷をつけない、万が一落下しブレーキペダル下に入っても容易に曲げられるのでペダルが踏み込めなくなることがなく、ゴム管・針金による廉価で軽い材料でなるため使用者の負担が費用的にも物理的にも軽い利点が考えられる。以上の理由から出願した。
更に、ゴム管を巻いた針金による、手の形で固定したい物に応じて指を折り曲げたり拡げたりして「グー」「チョキ」「パー」の形等に調整することが可能な自家用車内等の筆記用具、たばこ、サングラス等の固定器具を、卓上のスタンドとして使用すれば、固定できる対象は、筆記用具は言うに及ばず、はさみ、輪ゴム、パソコンの埃取ブラシに始まり、卓上のみならず家庭の所謂風呂、トイレ、洗面所等水回りで使用する歯ブラシ、石鹸等物も固定するスタンドとして使用可能であり、且つ何も固定しないでただ置くだけでも装飾品、遊興品としての使用も可能で一石二鳥であり、更には一つのスタンドとして片手で固定するスタンドを複数、例えば二つ合体・並列置き等し両手で支える・固定するようにすると、二つ合体した一つの骨太スタンドとして、片手でなく両手で支えるようにすれば、より大きく重い物、例えば読みかけの本で開いた状態の物を固定するスタンド、片手で保持するには大きいトイレットペーパーを置き保持するスタンド等、片手で又は両手で或いはそれ以上で多目的スタンドとして利用可能性が大きく拡大できるのではと気が付いた。これは、人間の手が掴む動作をするがごとく、適宜ゴム管を巻いた針金による、手の形で固定したい物に応じて指を折り曲げたり拡げたりして「グー」「チョキ」「パー」の形等に調整し握る・掴む・挟むなどして固定する、多目的卓上スタンドとして使用すれば、職場や家庭等で固定しスタンドとして座右に置き頻繁に使用する多様な物を、幅広く、手の指を広げたり縮めたりして固定し、卓上スタンドとして幅広く使用可能とすることができると考えた。耐水性のある、適宜ゴム管を巻いた構造だから、片手を象ったスタンドを両手に加工する、または並列に並べる、或いは片手のスタンド２式を形状が同じな丸い等した形状のスタンド部を合体させ１式両手で拡げた形状にすることが可能なのではないかと考えた。物を載せているときに、安定性をさらに得るため適宜必要に応じて、スタンド部分を電線ケーブルを束ねるプラスチック製の簡易バンドで数か所を締めると、さらに安定性は増すことも分かった。また、トイレットペーパーを卓上テイッシュの代わりに職場の卓上で使用することも、可能になることもわかった。以上の経緯により、これも出願した。
【０００５】  ところで、このゴム管を巻いた針金による、手の形で固定したい物に応じて指を折り曲げたり拡げたりして「グー」「チョキ」「パー」の形等に調整することが可能な自家用車内等の筆記用具、たばこ、サングラス等の固定器具を、卓上のスタンドとして使用する、卓上のみならず家庭の所謂風呂等水回りで使用する歯ブラシ、石鹸等物も固定するスタンドとして使用可能で、何も固定しないでただ置くだけでも装飾品、遊興品としての使用も可能で一石二鳥、更には一つのスタンドとして片手で固定するスタンドを複数、二つ合体・並列置き等し両手で支える・固定し、二つ合体した一つの骨太スタンドとして、両手で支えるようにすれば、より大きく重い物、読みかけの本で開いた状態の物を固定するスタンド、片手で保持するには大きいトイレットペーパーを置き保持するスタンド等、片手で又は両手で或いはそれ以上で多目的スタンドとして利用可能性があるが、人間の手が掴む動作をするがごとく、「グー」「チョキ」「パー」の形等に調整し握る・掴む・挟むなどして固定する多目的卓上スタンドだが、物を固定する部分を人間の手の形状にし様々な物を固定することができる機能に、物を固定する部分だけでなく、スタンドとして床と接触し固定するスタンド部分も人間の手の形状で掌を地面についた形状のスタンドとする。
【０００６】  これは、例えば病院・介護施設のベットの側面や頭部又は足側のパイプ部分等に、パイプの太さが多様であり、フック類等で固定するのが容易ではない箇所で、通常のスタンドでは立て固定することが困難な箇所・場所に、スタンドのスタンド部分を両手の形状にして、手を開いた状態、所謂「グー」「チョキ」「パー」の「パー」の状態にし、固定した物、書類や透明プラスチックケース等平べったい形状の物をはさみ、電線ケーブル用簡易プラスチック製バンドで手首部分を両手とも締める。さらに、スタンド部分も、所謂「グー」の状態にしパイプを両手で握らせ、両手の指を、親指や小指、中指といった両端及び中ほど３か所、パイプの太さにもよる為、適宜両手の指の交差具合を見て２，３か所程度の指の交差箇所を電線ケーブル用簡易プラスチック製バンドで適宜締め、両手の指でパイプを締めつけさせ固定することによって、スタンドを立てた状態で固定する。又は逆に、単に動物の猿が枝にぶら下がるように、ベットのパイプ部分に掴ませる・握らせるようにし、ぶら下げた状態のスタンドで固定しする。このどちらでも、立ててもぶら下げても、多目的スタンドとして使用すれば、固定部分が手の形状、スタンド部分が円の形状の多目的スタンドより、立てる・ぶら下げる等して固定できる箇所が、病院や介護施設等で頻繁に使用されているのを目にするパイプベットのパイプ上等、通常の形状のスタンドなら固定することが容易でない箇所の固定も、固定することが可能になるのではないかと考え出願した。
【０００７】  また、以上のスタンドは、すべて適宜ゴム管を巻いた針金製であるが、入院・介護施設利用者の荷物をさらに減らす必要がある切実な場合には、例えばベット行先・不在表示は、本スタンドを用いてパイプベットのパイプの上又は下に固定し提示することなく、適宜ゴム管を巻いた針金又は厚紙等に、その要件の文字と人間の絵を併記したベット行先・不在表示を、例えば人間の絵のまさに手又は足の部分を適宜ゴム管を巻いた針金な直接パイプに巻き固定する、厚紙なら予め複数のセットを用意し使用時は両面テープ等でパイプに固定し使用後は廃棄し使い捨てにすれば、両手の形状のスタンド程重くない為パイプに単に巻く又は両面テープのみで固定することが可能であるばかりか、手荷物削減や退院・退所時に無駄なものを一括処分清掃廃棄する際の廃棄物削減にもなるのではと考えた。そして、いずれもそのベット行先・不在表示は、入院・介護施設利用者を、病や介護から励ます、笑いを誘うような遊興性を添える内容となれば、単に見舞いする側の入院患者・介護施設利用者のベット不在時の探す労力を省く手間のみならず、病や介護で心労が増しわがままに陥りがちな患者・利用者本人をもその遊興性で励ますことができれば一石二鳥ではないかと考えた。
【０００８】  さらに、ベット行先・不在表示、家族写真、文庫本、コミックスタンドだけでなく、職場等の行先・注意表示としてパソコン画面の上部の縁に固定可能であり、またその入院・介護患者へのトレー等食事配膳の板状の物に、手の形状の指を板の上と下とにはさみ固定し、トレー等が斜めになっても固定し、今日の献立、○○様ご夕食、○○様糖尿病食、○○様タンパク質制限食等といった表示も、本多目的スタンドで可能である。
また、ベット、配膳のみならず、自家用車や電車等の車内での物の固定でも、活用性が考えられる。スタンド部分が手の形状なら、エアコン排気口にレ点状にフックでかける固定方法以外の固定が可能となる。また、手の掌にスピード出すな等の注意喚起、トイレ中、食事中等行先表示を表示することで、行先表示・注意喚起表示として、単に文字や図柄だけの表示ではなく、人間の手の掌にそのような表示がある為、一層注意を引く表示とすることが可能ではないかと考えた。
同様に、入院・介護施設利用者のベットからの行先表示、トイレ、リハビリ中、診察中、食事中、手術中、外出中、帰宅中、お見舞い中、カーテンな等には仮眠中、就寝中等が、また注意喚起表示としては起こすな、カーテンを開くな等の表示が活用性があると考えられる。
また、いずれの行先表示、注意喚起表示でも、表示したい文字数が人間の手の形状の固定部分の掌に収まりきれない場合も十分あり得る。その場合は、単に伝言メッセージを挟むだけでも、注意力を引くメッセージホルダーとなり得ると考え出願した。
【０００９】  いずれの出願も、針金がその構成物の主要な要素を占める。
これを、柔軟なプラスチック製とし、上部を山折りの二つ折りにし、且つ表と裏両方表示とすることで、針金にはない未使用の時に書類に差し挟み収納できる収納性を持った表示に加工可能であることに気が付づき出願した。
【００１０】  さらに、白色のプラスチック製のクリアーケース等書類入れの片面又は両面に、例えば「帰宅」と切れ込みで文字を切り入れ、帰宅する際に電源の切れたパソコン画面の黒色画面にその切れ字が重なるように、クリアーケースを被せる。すると、パソコン画面に「帰宅」と黒色字で白色のクリアーケースに対照色として浮かび上がる表示として使用できることに気が付いた。
これは、パソコン画面を電源を切り、帰宅する際、黒色の画面に、白いクリアーケースの両側又は片側に「帰宅」と、クリアーケースの書類を収納する機能を損なわない程度の、切れ込みで絵文字を切り入れ、画面に被せると「（私は）帰宅（していてここにはもうおりません）」という趣旨の表示になり、且つ従来の小生の表示の出願にはない、未使用の時はクリアーケースとしての使用が可能であるという一石二鳥の機能を持たせるのではないかと気が付いた。クリアーケースとして使用できるから、表示として未使用時に、書類入れとして使用すればよく、クリアーケースとして使用できない表示に比べ、活用度が倍増することに気が付いた。クリアーケースだけでなく、背表紙をプラスチック製のバインダーで挟め書類を止めるプラスチック製の書類ファイルの表紙などでもよく、また表示内容も、「帰宅」「会議中」「ランチ」「外勤先」「出張」「急病」「休み」「歓送迎会」等サラリーマンが通常パソコンの電源を切るか又は待機状態にして画面が黒色になる可能性があるとき表示する、離席・中座する事務的要件にとどまらず、「夫へ」「妻へ」等在宅パソコン等でのメッセージ表示としても使用可能である。そのメッセージは、パソコンに入力してもそのクリアーケースに収納してもどちらでも使用可能である。
切り入れた絵文字により、書類の挿入に引っかかるなどの支障が生じた、クリアーケース等としての機能の場合は、その中に透明なもう一式のクリアーケースを入れ、書類の保持機能を補うことも可能である。
また、被せる物は、パソコン画面だけでなく、介護・病院施設の入院時のパイプベット等にもかけて介護施設・入院患者のリハビリや診察等ベットからの不在表示表示としても使用可能である。また、クリアーケースの対照色を１枚切り込んだ字のクリアーアーケースの中に１枚入れ字を表示させ、その中に伝言メッセージやマル秘書類、またはその宛名専用の決裁書類やプライベート書類を入れて他人の目に触れることなく渡すクリアーケースとしても使用可能である。
また、電源が切れて画面が黒色のパソコン画面上部等に被せて白色のクリアーケース等に「帰宅」等と切れ込み入れた文字を表示させる以外に、白色のクリアーケース等に「夫へ」「妻へ」「社長へ」「友人へ」等と切れ込み入れた文字を、その白色のクリアーケースの中に黒色のクリアーケースを挿入し「置手紙」のように、例えば帰宅する際パソコンの机に置いて「夫へ」宛の書類である表示として使用することも可能である。
未使用の時はクリアーケース・バインダーケース等として書類入れとして利用可能な、パソコン画面上部や介護施設・病院のパイプベット等にフックなしで被せて表示できる職場等の行先等多目的表示だが、見方を変えれば、「帰宅（した）」等意味の切り文字を対照色を下地に敷くことで表示する多目的な表示機能を持たせたプラスチック製クリアーケース・バインダーファイルの表紙と言うこともできる。
【００１１】    クリアーケースとして、先人の優れた出願が既になされている。
［特許出願２００１−７７１９４］
［特許公開２００２−２４４６０９］マグネットラバー付きクリアーケースを利用した広告活動
［実用新案出願２００１−６６６］
［登録実用新案第３０７８９１６］マグネットラバー付きクリアーケース
しかし、白色のプラスチック製のクリアーケース等書類入れの片面又は両面に、例えば「帰宅」と切れ込みで文字を切り入れ、帰宅する際に電源の切れたパソコン画面の黒色画面にその切れ字が重なるように、クリアーケースを被せる。すると、パソコン画面に「帰宅」と黒色字で白色のクリアーケースに対照色として浮かび上がる表示として使用できる先願を見出すことが出来なかった。
【発明が解決しようとする課題】
【００１２】  パソコン等の表示は、針金製の場合、未使用の時保管に場所を取った。
【課題を解決するための手段】
【００１３】  クリアーケース等プラスチック製とし、さらに、白色のプラスチック製のクリアーケース等書類入れの片面又は両面に、例えば「帰宅」と切れ込みで文字を切り入れ、帰宅する際に電源の切れたパソコン画面の黒色画面にその切れ字が重なるように、クリアーケースを被せる。すると、パソコン画面に「帰宅」と黒色字で白色のクリアーケースに対照色として浮かび上がる表示として使用できることに気が付いた。これは、パソコン画面を電源を切り、帰宅する際、黒色の画面に、白いクリアーケースの両側又は片側に「帰宅」と、クリアーケースの書類を収納する機能を損なわない程度の、切れ込みで絵文字を切り入れ、画面に被せると「（私は）帰宅（していてここにはもうおりません）」という趣旨の表示になり、且つ従来の小生の表示の出願にはない、未使用の時はクリアーケースとしての使用が可能であるという一石二鳥の機能を持たせるのではないかと気が付いた。
【発明の効果】
【００１４】  クリアーケース等プラスチック製とし、さらに、白色のプラスチック製のクリアーケース等書類入れの片面又は両面に、例えば「帰宅」と切れ込みで文字を切り入れ、帰宅する際に電源の切れたパソコン画面の黒色画面にその切れ字が重なるように、クリアーケースを被せる。すると、パソコン画面に「帰宅」と黒色字で白色のクリアーケースに対照色として浮かび上がる表示として使用できた。これは、パソコン画面を電源を切り、帰宅する際、黒色の画面に、白いクリアーケースの両側又は片側に「帰宅」と、クリアーケースの書類を収納する機能を損なわない程度の、切れ込みで絵文字を切り入れ、画面に被せると「（私は）帰宅（していてここにはもうおりません）」という趣旨の表示になり、且つ従来の小生の表示の出願にはない、未使用の時はクリアーケースとしての使用が可能であるという一石二鳥の機能を持たせることに成功した。
【図面の簡単な説明】
【００１５】
【図１】本発明の正面図である。
【図２】本発明の正面図である。
【図３】本発明の断面図である。
【図４】本発明の正面図である。
【図５】本発明の正面図である。
【図６】本発明の正面図である。
【図７】本発明の正面図である。
【図８】本発明の正面図である。
【図９】本発明の正面図である。
【図１０】本発明の正面図である。
【図１１】本発明の正面図である。
【発明を実施するための形態】
【００１６】  本発明を実施するための形態を説明する。
【符号の簡単な説明】
１．切り入れた字のある色付きプラスチック製書類入れによる行先等表示
２．パソコン画面上部の縁
３．切り入れた行先等表示
４．対照色の色付きプラスチック製書類入れ
５．介護施設・病院のパイプベットのパイプ
【図１】
2015016681.tif 000003
【図２】
2015016681.tif 000004
【図３】
2015016681.tif 000005
【図４】
2015016681.tif 000006
【図５】
2015016681.tif 000007
【図６】
2015016681.tif 000008
【図７】
2015016681.tif 000009
【図８】
2015016681.tif 000010
【図９】
2015016681.tif 000011
【図１０】
2015016681.tif 000012
【図１１】
2015016681.tif 000013